(57)【特許請求の範囲】
【請求項１】
相対的に大型サイズの大型磁気ディスクパックを差し込み可能なデッキ本体と、前記デッキ本体に設けられ、該デッキ本体に差し込まれた前記大型磁気ディスクパックと電気的に接続可能なデッキ側接続部と、を備えたデッキに用いられる磁気ディスクパック用のアダプタであって、
前記大型磁気ディスクパックとほぼ同一サイズとされ、前記デッキ本体内に差し込み可能なアダプタ本体と、
前記アダプタ本体に形成され、前記大型磁気ディスクパックよりも相対的に小型サイズの小型磁気ディスクパックを表裏面の向きの正逆に拘わらず差し込み可能な収容部と、
前記アダプタ本体に設けられ、前記デッキ側接続部に電気的に接続されるアダプタ側第１接続部と、
前記アダプタ本体に設けられ、前記収容部に前記小型磁気ディスクパックが表裏面の向きを正方向にして差し込まれることにより、前記小型磁気ディスクパックに設けられた小型磁気ディスクパック側接続部に電気的に接続される正方向用のアダプタ側第２接続部と、
前記アダプタ本体に設けられ、前記収容部に前記小型磁気ディスクパックが表裏面の向きを逆方向にして差し込まれることにより、前記小型磁気ディスクパック側接続部に電気的に接続される逆方向用のアダプタ側第２接続部と、
前記正方向用のアダプタ側第２接続部および前記逆方向用のアダプタ側第２接続部と前記アダプタ側第１接続部との間に配線され、前記小型磁気ディスクパックの差し込み姿勢に拘わらず前記小型磁気ディスクパック側接続部と前記アダプタ側第１接続部とを一定の関係をもって接続する配線と
を備えたことを特徴とする磁気ディスクパック用のアダプタ。
【請求項２】
前記アダプタ側第１接続部は、前記デッキ本体に前記アダプタ本体が差し込まれることにより、前記デッキ側接続部に接続されることを特徴とする請求項１に記載の磁気ディスクパック用のアダプタ。
【請求項３】
前記デッキは、前記デッキ本体に差し込まれた前記大型磁気ディスクパックの係合部に対して、前記デッキ本体に保持されたデッキ側ロック部材を係合可能なデッキ側ロック機構を備え、
前記アダプタ本体は、前記収容部に差し込まれた前記小型磁気ディスクパックの係合部に対して、前記アダプタ本体に保持されたアダプタ側ロック部材を前記デッキ側ロック部材に連動して係合可能なアダプタ側ロック機構を備えた
ことを特徴とする請求項１または２に記載の磁気ディスクパック用のアダプタ。
【請求項４】
請求項１から３のいずれかに記載の磁気ディスクパック用のアダプタのアダプタ本体とほぼ同一サイズの磁気ディスクパックを差し込み可能なデッキ本体と、
前記デッキ本体に設けられ、該デッキ本体に差し込まれた前記磁気ディスクパックと電気的に接続可能なデッキ側接続部と、
を備えた磁気ディスクパック用のデッキにおいて、
前記デッキ本体に、請求項１から３のいずれかに記載の磁気ディスクパック用のアダプタが差し込まれている
ことを特徴とする磁気ディスクパック用のデッキ。
【請求項５】
前記デッキ本体に差し込まれた前記磁気ディスクパックの係合部に対して、前記デッキ本体に保持されたデッキ側ロック部材を係合可能なデッキ側ロック機構を備えた
ことを特徴とする請求項４に記載の磁気ディスクパック用のデッキ。
【請求項６】
前記デッキ本体に、前記磁気ディスクパックおよび前記アダプタを差込み可能な収容部を複数形成したことを特徴とする請求項４または５に記載の磁気ディスクパック用のデッキ。
【請求項７】
前記デッキ側接続部は、前記磁気ディスクパックおよび前記磁気ディスクパックよりも小型サイズで前記アダプタのアダプタ本体に形成される収容部に差し込まれる小型磁気ディスクパックに蓄積された画像データを編集する編集装置に接続されることを特徴とする請求項４から６のいずれかに記載の磁気ディスクパック用のデッキ。
【発明の詳細な説明】
【０００１】
【発明の属する技術分野】
本発明は、磁気ディスクパック接続用のアダプタおよびデッキに関するものである。
【０００２】
ここで、磁気ディスクパックとは、磁気ディスク、磁気ヘッド、およびそれらの駆動機構などがケース内に組み込まれたパックである。
【０００３】
【従来の技術】
磁気ディスクパックとしては、例えば、「フィールドパック」と称されて、ハンディーカメラに搭載されるものがある。このような磁気ディスクパックは、ハンディーカメラに搭載されて、撮影現場にて撮影した画像データを蓄積する。その磁気ディスクパックは、撮影後の編集段階において、ハンディーカメラから外されて編集機側の磁気ディスクパック用のデッキにセットされる。そして、その磁気ディスクパックに蓄積された画像データを編集機にて編集することによって、番組などが製作される。
【０００４】
従来、このような編集機側における磁気ディスクパック用のデッキは、特定サイズの磁気ディスクパックのみが差し込まれてセットされる構成となっていた。
【０００５】
【発明が解決しようとする課題】
近年、ハンディーカメラの操作性向上のために、それに搭載される磁気ディスクパックの小型化が要望されている。
【０００６】
しかし、上述した従来の磁気ディスクパック用のデッキにおいては、それにセット可能な磁気ディスクパックが特定サイズのみに限定されるため、仮に、磁気ディスクパックを小型化したとしても、その小型化した磁気ディスクパックをセットすることができない。
【０００７】
本発明の目的は、相対的に大型サイズの磁気ディスクパックをセット可能なデッキに対して、相対的に小型サイズの磁気ディスクパックを簡易にセットすることができる磁気ディスクパック用のアダプタおよびデッキを提供することにある。
【０００８】
【課題を解決するための手段】
本発明の磁気ディスクパック用のアダプタは、相対的に大型サイズの大型磁気ディスクパックを差し込み可能なデッキ本体と、前記デッキ本体に設けられ、該デッキ本体に差し込まれた前記大型磁気ディスクパックと電気的に接続可能なデッキ側接続部と、を備えたデッキに用いられる磁気ディスクパック用のアダプタであって、前記大型磁気ディスクパックとほぼ同一サイズとされ、前記デッキ本体内に差し込み可能なアダプタ本体と、前記アダプタ本体に形成され、前記大型磁気ディスクパックよりも相対的に小型サイズの小型磁気ディスクパックを表裏面の向きの正逆に拘わらず差し込み可能な収容部と、前記アダプタ本体に設けられ、前記デッキ側接続部に電気的に接続されるアダプタ側第１接続部と、前記アダプタ本体に設けられ、前記収容部に前記小型磁気ディスクパックが表裏面の向きを正方向にして差し込まれることにより、前記小型磁気ディスクパックに設けられた小型磁気ディスクパック側接続部に電気的に接続される正方向用のアダプタ側第２接続部と、前記アダプタ本体に設けられ、前記収容部に前記小型磁気ディスクパックが表裏面の向きを逆方向にして差し込まれることにより、前記小型磁気ディスクパック側接続部に電気的に接続される逆方向用のアダプタ側第２接続部と、前記正方向用のアダプタ側第２接続部および前記逆方向用のアダプタ側第２接続部と前記アダプタ側第１接続部との間に配線され、前記小型磁気ディスクパックの差し込み姿勢に拘わらず前記小型磁気ディスクパック側接続部と前記アダプタ側第１接続部とを一定の関係をもって接続する配線とを備えたことを特徴とする。
【０００９】
本発明の磁気ディスクパック用のデッキは、上記の磁気ディスクパック用のアダプタのアダプタ本体とほぼ同一サイズの磁気ディスクパックを差し込み可能なデッキ本体と、前記デッキ本体に設けられ、該デッキ本体に差し込まれた前記磁気ディスクパックと電気的に接続可能なデッキ側接続部と、を備えた磁気ディスクパック用のデッキにおいて、前記デッキ本体に、上記の磁気ディスクパック用のアダプタが差し込まれていることを特徴とする。
【００１０】
【発明の実施の形態】
以下、本発明の実施形態を図面に基づいて説明する。
【００１１】
図１において、１０は相対的に大型サイズの大型磁気ディスクパック、２０は相対的に小型サイズの小型磁気ディスクパックであり、これらは、ハンディーカメラに搭載されることによって、撮影現場にて撮影した画像データを蓄積する。これらの磁気ディスクパック１０，２０は、磁気ディスク、磁気ヘッド、およびこれらの駆動機構などが組み込まれたものである。３０は編集機側のデッキであり、そのデッキ本体３１には、大型磁気ディスクパック１０を図１中の矢印方向から直接的に差し込み可能な上下２つの収容部ＳＡが形成されている。
【００１２】
大型磁気ディスクパック１０は、図１中上下の表裏面の向きの正逆に拘わらず収容部ＳＡに差し込み可能であり、その差し込み姿勢に応じて、コネクタ１１がデッキ本体３１側の上下のコネクタ（デッキ側接続部）３２Ａ，３２Ｂのいずれかに接続される。すなわち、図１のように、コネクタ１１を下側にして大型磁気ディスクパック１０が差し込まれたときは、そのコネクタ１１が下側のコネクタ３２Ｂに接続され、逆に、コネクタ１１を上側にして大型磁気ディスクパック１０が差し込まれたときは、そのコネクタ１１が上側のコネクタ３２Ａに接続される。その際、大型磁気ディスクパック１０の差し込み姿勢の如何に拘わらず、図３のように、大型磁気ディスクパック１０側の左右のガイドピン１２がデッキ本体３１側の左右のガイド受け３３にはまり合う。デッキ本体３１側のコネクタ３２Ａ，３２Ｂは、コネクタ３４を介して、図示しない編集機に接続されている。コネクタ３２Ａ，３２Ｂとコネクタ３４との間には、大型磁気ディスクパック１０の差し込み姿勢に拘わらず、その大型磁気ディスクパック１０とコネクタ３４を一定の関係をもって接続する配線処理が施されている。
【００１３】
収容部ＳＡに対しては、後述するように、アダプタ５０を用いることによって、小型磁気ディスクパック２０を図１中の矢印方向から差し込むことも可能である。
【００１４】
アダプタ５０は、収容部ＳＡに対する小型磁気ディスクパック２０の差し込みに先立って、予め、収容部ＳＡに差し込まれて固定される。アダプタ本体５１は、大型磁気ディスクパック１０とほぼ同一サイズとされており、図１のように、その取付部５１Ａを下側にして収容部ＳＡに差し込まれることによって、コネクタ５２（アダプタ側第１接続部）が下側のコネクタ３２Ｂに接続される。その際、図４のように、アダプタ本体５１側の左右のガイドピン５３がデッキ本体３１側の左右のガイド受け３３にはまり合う。アダプタ５０は、このように収容部ＳＡに差し込まれた後、図示しないボルトによって、アダプタ本体５１側の取付部５１Ａがデッキ本体３１側に取り付けられる。これにより、デッキ本体３１が収容部ＳＡに固定される。
【００１５】
アダプタ本体５１内には、小型磁気ディスクパック２０を図１中の矢印方向から差し込み可能な収容部ＳＢが形成されている。小型磁気ディスクパック２０は、図１中上下の表裏面の向きの正逆に拘わらず収容部ＳＢに差し込み可能であり、その差し込み姿勢に応じて、コネクタ２１がアダプタ本体５１側の上下のコネクタ（アダプタ側第２接続部）５４Ａ，５４Ｂのいずれかに接続される。すなわち、図１のように、コネクタ２１を下側にして小型磁気ディスクパック２０が差し込まれたときは、そのコネクタ２１が下側のコネクタ５４Ｂに接続され、逆に、コネクタ２１を上側にして小型磁気ディスクパック２０が差し込まれたときは、そのコネクタ２１が上側のコネクタ５４Ａに接続される。そのような接続に際しては、小型磁気ディスクパック２０の差し込み姿勢の如何に拘わらず、図４のように、小型磁気ディスクパック２０側の左右のガイドピン２２がアダプタ本体５１側の左右のガイド受け５５にはまり合う。コネクタ５４Ａ，５４Ｂとコネクタ５２との間には、小型磁気ディスクパック２０の差し込み姿勢に拘わらず、その小型磁気ディスクパック２０とコネクタ５２を一定の関係をもって接続する配線処理が施されている。
【００１６】
デッキ本体３１には、収容部ＳＡに差し込まれた大型磁気ディスクパック１０をロックするためのデッキ側ロック機構６０が備えられている。
【００１７】
そのロック機構６０は、図３のように、ベースプレート６１に電磁ソレノイド６２を備えており、その電磁ソレノイド６２のプランジャー（デッキ側ロック部材）６２Ａを矢印Ａ１方向に突出させることにより、大型磁気ディスクパック１０の側部に形成された凹部（係合部）１０Ａにプランジャー６２Ａの先端部を係合させて、その大型磁気ディスクパック１０をロックする。凹部１０Ａは、図２のように、大型磁気ディスクパック１０の左右の側部に、上下対称的に形成されている。したがって、大型磁気ディスクパック１０は、その差し込み姿勢の如何に拘わらず、ロック機構６０によってデッキ本体３１にロックされる。ベースプレート６１には、図２および図３のように、操作ロッド６３が回動自在に軸支されており、その操作ロッド６３は、リンク６４を介してプランジャー６２Ａにピン結合されている。したがって、操作ロッド６３の図３中の右端部を回動操作することにより、手動によってもプランジャー６２Ａを矢印Ａ１、Ａ２方向に突出および退縮させることができる。
【００１８】
また、アダプタ本体５１には、収容部ＳＢに差し込まれた小型磁気ディスクパック２０をロックするためのアダプタ側ロック機構７０が備えられている。
【００１９】
そのロック機構７０は、図２，図４，および図６のように、ベースプレート７１に、ロックプレート（アダプタ側ロック部材）７２を軸線Ｏを中心として矢印Ｂ１，Ｂ２方向に回動自在に備えており、そのロックプレート７２が矢印Ｂ１方向に回動したときに、小型磁気ディスクパック２０の側部に形成された凹部（係合部）２０Ａにロックプレート７２の先端部が係合して、その小型磁気ディスクパック２０をロックする。凹部２０Ａは、小型磁気ディスクパック２０の左右の側部に、上下対称的に形成されている。したがって、小型磁気ディスクパック２０は、その差し込み姿勢の如何に拘わらず、ロック機構７０によってアダプタ本体５１にロックされる。ロックプレート７２は、それ自体の弾性復元力または図示しないスプリングによって、矢印Ｂ２の回動方向に付勢されている。また、ロックプレート７２には、図２のように、前述したデッキ側ロックプレート６０のプランジャー６２Ａの先端部と対向する操作部７２Ａが形成されており、そのプランジャー６２Ａが矢印Ａ１方向に突出したときにロックプレート７２が矢印Ｂ１方向に回動され、逆に、プランジャー６２Ａが矢印Ａ２方向に退縮したときにロックプレート７２が矢印Ｂ２方向に回動復帰する。
【００２０】
次に、作用について説明する。
【００２１】
デッキ３０の収容部ＳＡに大型磁気ディスクパック１０を差し込んだ場合は、その差し込み姿勢の如何に拘わらず、図３のように、そのコネクタ１１がコネクタ３２Ａ，３２Ｂのいずれかに接続される。それから、デッキ側ロック機構６０におけるプランジャー６２Ａを矢印Ａ１方向に突出させることによって、大型磁気ディスクパック１０を収容部ＳＡ内にロックする。その後、大型磁気ディスクパック１０に蓄積された画像データを編集機にて編集処理する。大型磁気ディスクパック１０を引き出す際には、デッキ側ロック機構６０におけるプランジャー６２Ａを矢印Ａ２方向に退縮させて、大型磁気ディスクパック１０のロックを解除する。
【００２２】
デッキ３０の収容部ＳＡに小型磁気ディスクパック２０を差し込む場合は、予め、その収容部ＳＡにアダプタ５０を差し込んでから固定し、そのコネクタ５２を下側のコネクタ３２Ｂに接続する。その後、アダプタ５０の収容部ＳＢに、小型磁気ディスクパック２０を差し込む。小型磁気ディスクパック２０は、その差し込み姿勢の如何に拘わらず、図４のように、そのコネクタ２１がコネクタ５４Ａ，５４Ｂのいずれかに接続される。それから、デッキ側ロック機構６０におけるプランジャー６２Ａを矢印Ａ１方向に突出させて、アダプタ側ロック機構７０におけるロックプレート７２を矢印Ｂ１方向に回動させることにより、小型磁気ディスクパック２０を収容部ＳＢ内にロックする。その後、小型磁気ディスクパック２０に蓄積された画像データを編集機にて編集処理する。小型磁気ディスクパック２０を引き出す際には、デッキ側ロック機構６０におけるプランジャー６２Ａを矢印Ａ２方向に退縮させて、アダプタ側ロック機構７０におけるロックプレート７２を矢印Ｂ２方向に回動復帰させることにより、小型磁気ディスクパック２０のロックを解除する。
【００２３】
【発明の効果】
以上説明したように、本発明は、相対的に大型サイズの大型磁気ディスクパックを差し込み可能なデッキに、アダプタを介して、相対的に小型サイズの小型磁気ディスクパックを表裏面の向きの正逆に拘わらず差し込むことにより、その小型磁気ディスクパックをデッキに簡易にセットすることができる。
【００２４】
また、デッキ側に、そのデッキ内に差し込まれた大型磁気ディスクパックをロック可能なデッキ側ロック機構を備えると共に、アダプタ側に、そのアダプタを介してデッキ内に差し込まれた小型磁気ディスクパックをロック可能なアダプタ側ロック機構を備え、さらに後者のアダプタ側ロック機構を前者のデッキ側ロック機構に連動させることにより、前者のデッキ側ロック機構の駆動制御のみによって、大型磁気ディスクパックと小型磁気ディスクパックを同様にロックすることができる。
【図面の簡単な説明】
【図１】本発明のデッキの断面図である。
【図２】図１のデッキにおける磁気ディスクパック差し込み時の一部切り欠き側面図である。
【図３】図２のIII−III線に沿う断面図である。
【図４】図２のIV−IV線に沿う断面図である。
【図５】図１のアダプタにおける小型磁気ディスクパック差し込み時の断面図である。
【図６】図４のVI矢視の一部切り欠き背面図である。
【符号の説明】
１０  大型磁気ディスクパック
１０Ａ  凹部（係合部）
１１  コネクタ
２０  小型磁気ディスクパック
２０Ａ  凹部（係合部）
２１  コネクタ
３０  デッキ
３１  デッキ本体
３２Ａ，３２Ｂ  アダプタ（デッキ側接続部）
５０  アダプタ
５１  アダプタ本体
５２  コネクタ（アダプタ側第１接続部）
５４Ａ，５４Ｂ  コネクタ（アダプタ側第２接続部）
６０  デッキ側ロック機構
６２Ａ  プランジャー（デッキ側ロック部材）
７０  アダプタ側ロック機構
７２  ロックプレート（アダプタ側ロック部材）
【図１】
0003655128.tif 000002
【図２】
0003655128.tif 000003
【図３】
0003655128.tif 000004
【図４】
0003655128.tif 000005
【図５】
0003655128.tif 000006
【図６】
0003655128.tif 000007